(57)【要約】【課題】テレビ、ビデオやマイクロフォンからの音声データを印字および保存することが可能な印字装置の提供。【解決手段】ＣＰＵ１０１で各種演算処理や音声認識処理を実行するのに必要な各種プログラムやデータを一時的に読み書きするための音声認識処理用ＲＡＭ１０３、マイクロフォンなどの外部（入力）機器１０４、処理されたテキストデータを記憶するためのハードディスク１０６、処理された後のテキストデータや画像を表示するモニター１０７、テキストデータの編集およびテキストデータの入力や、印字開始点と印字終了点の決定を行うためのリモコン１０８、リモコン１０８により選択された印字部分をＣＰＵ１０１およびプログラムＲＯＭ１０２で処理し、準備された印字データを実際に印字するためのエンジン制御部１０９を備える。【選択図】　図１
2004144888.tif 000002
【特許請求の範囲】
【請求項１】
音声データをテキストデータに変換する手段と、前記テキストデータを記憶する記憶手段と、前記テキストデータを印字する印字手段とを備えたことを特徴とする印字装置。
【請求項２】
前記テキストデータをモニター上に表示する手段を備えたことを特徴とする請求項１記載の印字装置。
【請求項３】
前記モニター上に表示されたテキストデータを、リモートコントローラを用いて任意の部分を選択し、編集および印字する機能を備えたことを特徴とする請求項２記載の印字装置。
【請求項４】
前記編集されたテキストデータを、内蔵のハードディスクに保存する機能を備えたことを特徴とする請求項３記載の印字装置。
【発明の詳細な説明】
【０００１】
【発明の属する技術分野】
本発明は、音声データを保存および印字可能な印字装置に関する。
【０００２】
【従来の技術】
近年、コンピュータ、ビデオやテレビからのデータを印字する印字装置として、カラープリンタが広く普及している。カラープリンタとしては、インクジェットプリンタ、熱転写プリンタや、レーザープリンタなどが知られている。
【０００３】
これらのプリンタは、ビデオやＴＶデジタル放送などにおいて、配信された画像データとそれに付随する一部の音声データをテキスト化したものを修正、印字することや、外部に接続された記録媒体に保存することは可能であるが（例えば、特許文献１，２を参照。）、配信されている音声データや副音声、マイクロフォンなどから入力される多量の音声データのみをテキスト化したものに対して、修正、保存する手段、および印字装置に出力する手段を印字装置単体で実現しているものはない。
【０００４】
【特許文献１】
特開２０００−３０１８０６号公報（段落番号００２３）
【特許文献２】
特開２００１−２６５３７８号公報（段落番号００４０）
【０００５】
【発明が解決しようとする課題】
このように従来の印字装置の機能としては画像データとそれに付随する一部の音声データをテキスト化したテキストデータを出力するのみで、印字装置内で多量の音声データのみをテキスト化する機能はない。さらに、テキストデータを恒久的に印字装置内に保存する機能はない。そのため、音声データを印字しようとすると、テープ起こしなどの外部処理を利用してテキストデータを取得し、そのテキストデータを出力するという方法しかなく、多くの時間と費用が発生する。
【０００６】
そこで、本発明は、テレビ、ビデオやマイクロフォンからの音声データを印字（印刷）および保存することが可能な印字装置を提供することを目的とする。
【０００７】
【課題を解決するための手段】
上記課題を解決するために、本発明の印字装置は、テレビ、ビデオや、マイクロフォンからの音声データをテキストデータに変換し、このテキストデータを記憶および印字するように構成したものである。
【０００８】
本発明の印字装置によれば、テレビ、ビデオやマイクロフォンからの音声データを印字および保存することが可能となる。
【０００９】
【発明の実施の形態】
請求項１に記載の発明は、音声データをテキストデータに変換する手段と、テキストデータを記憶する記憶手段と、テキストデータを印字する印字手段とを備えた印字装置であり、テレビ、ビデオやマイクロフォンからの音声データをテキストデータに変換して、記憶および印字することができるという作用を有する。
【００１０】
請求項２に記載の発明は、テキストデータをモニター上に表示する手段を備えた請求項１記載の印字装置であり、テレビ、ビデオやマイクロフォンからの音声データを変換したテキストデータをモニター上に表示することができるという作用を有する。
【００１１】
請求項３に記載の発明は、モニター上に表示されたテキストデータを、リモートコントローラを用いて任意の部分を選択し、編集および印字する機能を備えた印字装置であり、テレビ、ビデオやマイクロフォンからの音声データを変換したテキストデータをモニター上に表示し、このモニター上に表示されたテキストデータを、リモートコントローラを用いて任意の部分を容易に選択し、編集および印字することができるという作用を有する。
【００１２】
請求項４に記載の発明は、編集されたテキストデータを、内蔵のハードディスクに保存する機能を備えた請求項３記載の印字装置であり、テレビ、ビデオやマイクロフォンからの音声データを変換したテキストデータをモニター上に表示し、このモニター上に表示されたテキストデータを、リモートコントローラを用いて任意の部分を容易に選択、編集および印字し、その編集および印字されたテキストデータを、印字装置が内蔵しているハードディスクに保存できるという作用を有する。
【００１３】
以下、本発明の実施の形態について図１から図５を参照しながら説明する。
【００１４】
図１は本発明の実施の形態における印字装置を示すブロック図である。
【００１５】
図１に示す印字装置は、ＣＰＵ（Ｃｅｎｔｒａｌ　Ｐｒｏｃｅｓｓｉｎｇ　Ｕｎｉｔ；中央処理装置）１０１、ＣＰＵ１０１で各種演算処理を実行するのに必要なプログラムやデータを予め格納しているプログラムＲＯＭ（リードオンリーメモリ）１０２、ＣＰＵ１０１で各種演算処理や音声認識処理を実行するのに必要な各種プログラムやデータを一時的に読み書きするための音声認識処理用ＲＡＭ（ランダムアクセスメモリ）１０３、ビデオやマイクロフォンなどの外部（入力）機器１０４、外部（入力）機器１０４とのインターフェース（Ｉ／Ｆ）部１０５、音声認識処理用ＲＡＭ１０３で処理されたテキストデータを記憶（保存）するための記憶手段としてのストレージ装置、たとえばハードディスク（ＨＤＤ）１０６、音声認識処理された後のテキストデータや画像を表示するモニター１０７、モニター１０７に表示されているテキストデータの編集およびテキストデータの入力、さらに印字開始点と印字終了点の決定を行うためのリモートコントローラ（以下「リモコン」と称す。）１０８、リモコン１０８により選択された印字部分をＣＰＵ１０１およびプログラムＲＯＭ１０２で処理し、準備された印字データを実際に印字するためのエンジン制御部１０９、およびこれら各部１０１〜１０９を相互に接続するバス１１０を備える。
【００１６】
この印字装置は、外部（入力）機器１０４から取り込まれた音声データを、ＣＰＵ１０１が、プログラムＲＯＭ１０２や音声認識処理用ＲＡＭ１０３を用いて処理し、ハードディスク１０６に保存し、任意に選択された部分をエンジン制御部１０９に出力する。
【００１７】
図２は図１の印字装置による音声データの認識処理からテキストデータの編集・印字処理までの全体の流れを示すフローチャートである。
【００１８】
図２において、外部（入力）機器１０４からの音声データの入力がある場合（ステップ２０１）、ＣＰＵ１０１は、処理できる一定量の音声データを音声認識処理用ＲＡＭ１０３へ転送（データ展開）し（ステップ２０２）、プログラムＲＯＭ１０２内の変換処理プログラムを実行（音声認識処理）する（ステップ２０３）ことで音声データを最適なテキストデータに変換していく。この変換により得られたテキストデータは印字装置内のハードディスク１０６に随時蓄積（ステップ２０４）していく。
【００１９】
蓄積処理が終了すると、さらなる音声データが存在する場合は（ステップ２０５）、ステップ２０２へ戻り（ステップ２０６）、ステップ２０２からステップ２０４の処理を繰り返して全ての音声データをテキストデータに変換していく。ハードディスク１０６に蓄積されたテキストデータはモニター１０７に表示される（ステップ２０７）。このモニター１０７に表示されたテキストデータは、リモコン１０８を用いて変換処理の不十分な部分の編集、印字範囲の選択や、印字処理を実行（ステップ２０８）することができる。
【００２０】
図３は図１のリモコン１０８の概略図である。
【００２１】
このリモコン１０８では、矢印キー３０１により、モニター１０７に表示されているテキストデータの任意の位置にカーソルを移動することができる。選択キー（ＳＬ）３０２は、テキストデータの編集や印字時にその範囲を選択する場合に使用し、選択された範囲を削除するときは削除キー（ＤＬ）３０３を、印字するときは印字キー（Ｐ）３０４をそれぞれ押下する。入力キー群３０５は、選択キー（ＳＬ）３０２によって選択された範囲の内容を変更する際に使用する。このとき、入力切換キー（ＣＨ）３０６により、入力キー群３０５によって入力可能なテキストの入力モードを英数・かな・数字と切り換えることができる。保存キー（ＳＶ）３０７は、編集したテキストデータの保存を実行するのに使用する。
【００２２】
図４は図１の印字装置の音声認識処理により得られたテキストデータの編集・保存の処理の流れを示すフローチャートである。
【００２３】
図４において、実際にテキストデータがモニター１０７上に表示されている場合（ステップ４０１）、リモコン１０８の矢印キー３０１でカーソルを編集（修正）したい領域の先頭部分に移動させ、選択キー３０２を押下し、さらに矢印キー３０１でカーソルを修正したい領域の最後尾部分に移動させ、再度選択キー３０２を押下することで、修正領域を選択する（ステップ４０２）。この選択された領域のテキストデータを削除したい場合は、削除キー３０３を押下することで削除できる。また、この選択された領域のテキストデータを変更したい場合は、入力切換キー３０６で入力モードを選択し、入力キー群３０５で文字を入力する（ステップ４０３）。たとえば、入力切換キー３０６で“かな”入力モードを選択した場合、入力キー群３０５を用いてかな文字を入力した後、矢印（下向き矢印）キー３０１で漢字変換し、矢印（左向き矢印・右向き矢印）キー３０１で次候補を検索して、選択キー３０２で決定する。さらに、他に修正する箇所が存在する場合（ステップ４０４）、再度ステップ４０２に戻り（ステップ４０５）、矢印キー３０１でカーソルを修正したい領域の先頭部分に移動させて、修正を続けることができる。全ての修正が終了して、このテキストデータを保存したい場合（ステップ４０６）、保存キー３０７を押下してハードディスク１０６に保存（ステップ４０７）することができる。
【００２４】
図５は図１の印字装置の音声認識処理により得られたテキストデータの印字処理の流れを示すフローチャートである。
【００２５】
図５において、リモコン１０８の矢印キー３０１でカーソルを印字したい領域の先頭部分に移動させ、選択キー３０２を押下して印字開始点を選択し（ステップ５０１）、さらに矢印キー３０１でカーソルを印字したい領域の最後尾部分に移動させ、再度選択キー３０２を押下して印字終了点を選択する（ステップ５０２）ことで、印字領域の選択が完了する。ここで、印字開始点と印字終了点が正しい位置に選択されているかを判定（ステップ５０３）し、印字領域の選択がおかしい場合（印字データがない場合）は、再度印字開始点から選択し直すようにする（ステップ５０４）。印字領域が正しい場合（印字データが有る場合）、ＣＰＵ１０１はプログラムＲＯＭ１０２内の印字処理用プログラムで印字データを生成し、エンジン制御部１０９を起動して印字処理を実行する（ステップ５０５）。印字終了後にこの印字データを保存したい場合（ステップ５０６）は、保存キー３０７を押下してハードディスク１０６に保存（ステップ５０７）する。なお、印字開始点と印字終了点が選択されていない場合、印字キー３０４を押下すると、全てのテキストデータを印字することができる。
【００２６】
なお、本発明は上述した一実施の形態に何ら限定されるものではない。インクジェット方式のカラープリンタに限る必要はなく、熱転写タイプのカラープリンタやカラーレーザープリンタなどの一般的な印字装置にも応用することができる。
【００２７】
【発明の効果】
本発明により、以下の効果を奏することができる。
【００２８】
（１）印字装置に、音声データをテキストデータに変換する手段と、テキストデータを記憶する記憶手段と、テキストデータを印字する印字手段とを備えることにより、現状で実現し得なかった音声データのテキストデータ化、並びにそのテキストデータの保存および印字が可能となる。
【００２９】
（２）テキストデータをモニター上に表示する手段を備えたことで、現状で実現し得なかった音声データのテキストデータ化、並びにそのテキストデータのモニターへの表示が可能となる。
【００３０】
（３）モニター上に表示されたテキストデータを、リモートコントローラを用いて任意の部分を選択し、編集および印字する機能を備えたことで、現状で実現し得なかった音声データのテキストデータ化、並びにそのテキストデータの編集および印字が、リモートコントローラを用いて容易に行えるようになる。
【００３１】
（４）編集されたテキストデータを、内蔵のハードディスクに保存する機能を備えたことで、現状で実現し得なかった音声データのテキストデータ化、そのテキストデータの編集および印字、並びに印字装置が内蔵しているハードディスクへの保存が可能となる。
【図面の簡単な説明】
【図１】本発明の実施の形態における印字装置を示すブロック図
【図２】図１の印字装置による音声データの認識処理からテキストデータの編集・印字処理までの全体の流れを示すフローチャート
【図３】図１のリモコンの概略図
【図４】図１の印字装置の音声認識処理により得られたテキストデータの編集・保存の処理の流れを示すフローチャート
【図５】図１の印字装置の音声認識処理により得られたテキストデータの印字処理の流れを示すフローチャート
【符号の説明】
１０１　ＣＰＵ
１０２　プログラムＲＯＭ
１０３　音声認識処理用ＲＡＭ
１０４　外部（入力）機器
１０５　インターフェース（Ｉ／Ｆ）部
１０６　ハードディスク（ＨＤＤ）
１０７　モニター
１０８　リモートコントローラ（リモコン）
１０９　エンジン制御部
１１０　バス
３０１　矢印キー
３０２　選択キー
３０３　削除キー
３０４　印字キー
３０５　入力キー群
３０６　入力切換キー
３０７　保存キー
【図１】
2004144888.tif 000003
【図２】
2004144888.tif 000004
【図３】
2004144888.tif 000005
【図４】
2004144888.tif 000006
【図５】
2004144888.tif 000007